(57)【要約】  放送網から発信される複数の放送サービスを提供するサービス提供手段と、サービス提供手段に提供される放送設備Ｐと、放送設備Ｐが１つのＩＰネットワーク７を経由して提供する放送サービスを受信するデジタル放送受信機１０とを有するデジタル放送システムにおいて、放送設備Ｐは、放送網の種別を識別する放送網識別子と、放送設備Ｐを識別する放送設備識別子と、サービス提供手段を識別するサービス提供手段識別子と、放送サービスを識別するサービス識別子とを提供し、デジタル放送受信機１０は、放送網識別子、放送設備識別子、サービス提供手段識別子及びサービス識別子を指定し、放送サービスを特定する。
2009087711.tif 000002
【特許請求の範囲】
【請求項１】
放送網から発信される複数の放送サービスを提供するサービス提供手段と、前記サービス提供手段に提供される放送設備と、前記放送設備が１つのＩＰネットワークを経由して提供する放送サービスを受信する放送受信機とを有するデジタル放送システムにおいて、
前記放送設備は、前記放送網の種別を識別する放送網識別子と、前記放送設備を識別する放送設備識別子と、前記サービス提供手段を識別するサービス提供手段識別子と、前記放送サービスを識別するサービス識別子とを提供し、
前記放送受信機は、前記放送網識別子、前記放送設備識別子、前記サービス提供手段識別子及び前記サービス識別子を指定し、放送サービスを特定することを特徴とするデジタル放送システム。
【請求項２】
放送網から発信される複数の放送サービスを提供するサービス提供手段と、前記サービス提供手段に提供される放送設備を有するデジタル放送システムの放送受信機において、
前記放送設備が１つのＩＰネットワークを経由して提供する放送サービスを受信し、受信した前記放送サービスの放送コンテンツに多重されているデータ放送コンテンツに含まれる手続き記述を実行する手続き記述処理部と、前記データ放送コンテンツに付与されている、前記放送網の種別を識別する放送網識別子、前記放送設備を識別する放送設備識別子、前記サービス提供手段を識別するサービス提供手段識別子、及び前記放送サービスを識別するサービス識別子により特定される放送サービスの選局を指示するＩＰ放送ネットワーク選局ＩＦ処理部とを備え、前記データ放送コンテンツを再生するブラウザと、
前記ＩＰ放送ネットワーク選局ＩＦ処理部の放送サービス選局指示に基づき放送サービスの選局を行うＩＰ放送ネットワーク選局管理部とを備えたことを特徴とする放送受信機。
【請求項３】
ブラウザは、放送網識別子、放送設備識別子、サービス提供手段識別子及びサービス識別子で構成されるＩＰ放送サービスリストを要求するＩＰ放送ネットワーク放送サービスリスト要求ＩＦ処理部を備え、
前記ＩＰ放送ネットワーク放送サービスリスト要求ＩＦ処理部の要求に基づき、放送中の全ての放送サービスに関するＩＰ放送サービスリストを出力するＩＰ放送ネットワーク選局情報出力部を備えたことを特徴とする請求項２記載の放送受信機。
【請求項４】
ＩＰ放送ネットワーク放送サービスリスト要求ＩＦ処理部は、放送網識別子、放送設備識別子、サービス提供手段識別子、サービス識別子の一つあるいは複数を指定する絞り込み条件を出力し、
ＩＰ放送ネットワーク選局情報出力部から出力されたＩＰ放送サービスリストから上記絞り込み条件に合致する放送サービスを検索し、前記合致する放送サービスのＩＰ放送サービスリストを出力するサービス検索処理部を備えたことを特徴とする請求項３記載の放送受信機。
【請求項５】
放送網から発信される複数の放送サービスを提供するサービス提供手段と、前記サービス提供手段に提供される放送設備を有するデジタル放送システムの放送受信機において、
前記放送設備が１つのＩＰネットワークを経由して提供する放送サービスを受信し、受信した前記放送サービスの放送コンテンツに多重されているデータ放送コンテンツに含まれる手続き記述を実行する手続き記述処理部と、前記データ放送コンテンツに付与されている、前記放送網の種別を識別する放送網識別子、トランスポートストリームを識別するトランスポートストリーム識別子、前記トランスポートストリームが伝送されるネットワークを示すオリジナルネットワーク識別子及び前記放送サービスを識別するサービス識別子により特定される放送サービスの選局を指示する放送波ネットワーク放送選局ＩＦ処理部とを備え、前記データ放送コンテンツを再生するブラウザと、
前記放送波ネットワーク放送選局ＩＦ処理部の放送サービス選局指示に基づき放送サービスの選局を行う放送波ネットワーク選局管理部とを備えたことを特徴とする放送受信機。
【請求項６】
ブラウザは、放送網識別子、オリジナルネットワーク識別子、トランスポートストリーム識別子及びサービス識別子で構成される放送波サービスリストを要求する放送波ネットワーク放送サービスリスト要求ＩＦ処理部を備え、
前記放送波ネットワーク放送サービスリスト要求ＩＦ処理部の要求に基づき、放送中の全ての放送サービスに関する放送波サービスリストを出力する放送波ネットワーク選局情報出力部を備えたことを特徴とする請求項５記載の放送受信機。
【請求項７】
放送網から発信される複数の放送サービスを提供するサービス提供手段と、前記サービス提供手段に提供される放送設備を有するデジタル放送システムの放送受信機において、
前記放送設備が１つのＩＰネットワークを経由して提供する放送サービスを受信し、受信した前記放送サービスの放送コンテンツに多重されているデータ放送コンテンツに含まれる要素及び属性記述を実行する要素属性記述処理部と、前記データ放送コンテンツに付与されている、前記放送網の種別を識別する放送網識別子、前記放送設備を識別する放送設備識別子、前記サービス提供手段を識別するサービス提供手段識別子、及び前記放送サービスを識別するサービス識別子により特定される放送サービスの参照を指示するＩＰ放送ネットワーク参照ＩＦ処理部とを備え、前記データ放送コンテンツを再生するブラウザと、
前記ＩＰ放送ネットワーク参照ＩＦ処理部の放送サービス参照指示に基づき放送サービスに含まれる放送データの一部を参照するＩＰ放送ネットワーク参照管理部と、
前記放送網識別子、前記放送設備識別子、前記サービス提供手段識別子及び前記サービス識別子に基づき放送サービスの選局を行うＩＰ放送ネットワーク選局管理部とを備えたことを特徴とする放送受信機。
【請求項８】
放送網から発信される複数の放送サービスを提供するサービス提供手段と、前記サービス提供手段に提供される放送設備を有するデジタル放送システムの放送受信機において、
前記放送設備が１つのＩＰネットワークを経由して提供する放送サービスを受信し、受信した前記放送サービスの放送コンテンツに多重されているデータ放送コンテンツに含まれる要素及び属性記述を実行する要素属性記述処理部と、前記データ放送コンテンツに付与されている、前記放送網の種別を識別する放送網識別子、トランスポートストリームを識別するトランスポートストリーム識別子、前記トランスポートストリームが伝送されるネットワークを示すオリジナルネットワーク識別子及び前記放送サービスを識別するサービス識別子により特定される放送サービスの参照を指示する放送波ネットワーク参照ＩＦ処理部とを備え、前記データ放送コンテンツを再生するブラウザと、
前記放送波ネットワーク参照ＩＦ処理部の放送サービス参照指示に基づき放送サービスに含まれる放送データの一部を参照する放送波ネットワーク参照管理部と、
前記放送網識別子、前記放送設備識別子、前記サービス提供手段識別子及び前記サービス識別子に基づき放送サービスの選局を行うＩＰ放送ネットワーク選局管理部とを備えたことを特徴とする放送受信機。
【請求項９】
放送網から発信される複数の放送サービスおよびデータ放送コンテンツを提供するサービス提供手段と、前記サービス提供手段に提供される放送設備を有するデジタル放送システムの放送受信機において、
前記放送設備が複数のＩＰネットワークを経由して提供される放送サービスおよびデータ放送コンテンツを受信し、受信したデータ放送コンテンツに含まれる要素記述の解析、及び属性記述の解析指示を出力する要素属性記述処理部と、前記属性記述の解析指示に基づき前記属性記述からドメイン名を取得するドメイン名取得部とを備え、前記データ放送コンテンツを再生するブラウザと、
前記複数のＩＰネットワークに対して問い合わせを行い、前記ドメイン名を解決可能なＩＰネットワークを特定するドメイン名解決処理部とを備えたことを特徴とする放送受信機。
【請求項１０】
放送網から発信される複数の放送サービスおよびデータ放送コンテンツを提供するサービス提供手段と、前記サービス提供手段に提供される放送設備を有するデジタル放送システムの放送受信機において、
前記放送設備が複数のＩＰネットワークを経由して提供される放送サービスおよびデータ放送コンテンツを受信し、受信したデータ放送コンテンツに含まれる要素記述の解析、及び属性記述の解析指示を出力する要素属性記述処理部と、前記属性記述の解析指示に基づき前記属性記述からドメイン名を取得するドメイン名取得部とを備え、前記データ放送コンテンツを再生するブラウザと、
前記複数のＩＰネットワークがそれぞれ提供する構成管理情報を取得し、前記構成管理情報を参照して前記ドメイン名を解決可能なＩＰネットワークを特定するＩＰ放送ネットワーク構成管理部とを備えたことを特徴とする放送受信機。
【請求項１１】
放送網から発信される複数の放送サービスおよびデータ放送コンテンツを提供するサービス提供手段と、前記サービス提供手段に提供される放送設備と、前記放送設備が複数のＩＰネットワークを経由して提供される放送サービスおよびデータ放送コンテンツを受信する放送受信機とを有するデジタル放送システムにおいて、
前記データ放送コンテンツは、当該コンテンツが存在するＩＰネットワークを示すＩＰネットワーク識別、及び前記識別されたＩＰネットワーク内における配置位置を示す名前空間が記述されたスキーマを有することを特徴とするデジタル放送システム。
【請求項１２】
放送網から発信される複数の放送サービスおよびデータ放送コンテンツを提供するサービス提供手段と、前記サービス提供手段に提供される放送設備を有するデジタル放送システムの放送受信機において、
前記放送設備が複数のＩＰネットワークを経由して提供される放送サービスおよびデータ放送コンテンツを受信し、受信したデータ放送コンテンツにＩＰネットワークを識別するＩＰネットワーク識別、及び前記識別されたＩＰネットワーク内における配置位置を示す名前空間で構成されたスキーマが記述されている場合に、前記放送サービスの放送コンテンツに多重されているデータ放送コンテンツに含まれる要素記述の解析、及び属性記述の解析指示を出力する要素属性記述処理部と、前記属性記述の解決指示に基づき前記スキーマを解析し、ネットワーク識別及び名前空間を取得してＩＰネットワークを特定するスキーマ解析部とを備え、前記データ放送コンテンツを再生するブラウザとを備えたことを特徴とする放送受信機。
【発明の詳細な説明】
【技術分野】
【０００１】
この発明は、デジタル放送に係る放送システム及び放送受信技術に関するものである。
【背景技術】
【０００２】
従来のデジタル放送システムでは、ユーザが選択をしやすくするために放送受信機固有機能によって接続中の複数ネットワークのネットワーク情報を同一画面中に提示し、ユーザ選択に従ってネットワークを切替るように構成していた（特許文献１参照）。また、異なるネットワークにそれぞれ接続可能な複数の放送受信機で同一サービスを継続的に視聴するために、受信機間でｎｅｔｗｏｒｋ＿ｉｄ／ｔｒａｎｓｐｏｒｔ＿ｉｄを通知することで、異端末／異ネットワーク間での同サービス選局を実現していた（特許文献２参照）。【０００３】
【特許文献１】特開２００６−２１７４３０号公報  第２頁〜８頁、第１図
【特許文献２】特開２００６−０６７１９８号公報  第２頁〜１１頁、第１図
【０００４】
従来のデジタル放送システムは以上のように構成されているので、リモコンなどの受信機固有機能を用いないと、ネットワークを越えた選局を行うことができないという課題があった。【０００５】
この発明は、上記のような課題を解決するためになされたもので、放送局の意図により制作された放送コンテンツに従って異ネットワークのサービスを選局することを目的とする。さらに、放送局の意図により、放送コンテンツの再生画面に異ネットワークの放送データを参照して同時再生することを目的とする。
【発明の開示】
【０００６】
この発明に係るデジタル放送システムは、放送網から発信される複数の放送サービスを提供するサービス提供手段と、前記サービス提供手段に提供される放送設備と、前記放送設備が１つのＩＰネットワークを経由して提供する放送サービスを受信する放送受信機とを有するデジタル放送システムにおいて、前記放送設備は、前記放送網の種別を識別する放送網識別子と、前記放送設備を識別する放送設備識別子と、前記サービス提供手段を識別するサービス提供手段識別子と、前記放送サービスを識別するサービス識別子とを提供し、前記放送受信機は、前記放送網識別子、前記放送設備識別子、前記サービス提供手段識別子及び前記サービス識別子を指定し、放送サービスを特定するものである。
【０００７】
この発明によれば、提供する放送サービスに放送網識別子、放送設備識別子、サービス提供手段識別子及びサービス識別子を付与するように構成したので、各放送サービスによる放送番組やサービス識別子が同一の場合でも、放送受信機において当該放送網識別子、放送設備識別子、サービス提供手段識別子及びサービス識別子を指定することにより所望の放送サービスを特定することができる。
【図面の簡単な説明】
【０００８】
【図１】この発明の実施の形態１に係るデジタル放送システムの構成を示す図である。
【図２】この発明の実施の形態１に係るデジタル放送システムのＩＰ放送局群の構成を示す図である。
【図３】この発明の実施の形態１に係るデジタル放送システムの構成管理情報の一例を示す図である。
【図４】この発明の実施の形態１に係るデジタル放送システムのＳＩストリームの一例を示す図である。
【図５】この発明の実施の形態１に係るデジタル放送受信機の構成を示すブロック図である。
【図６】この発明の実施の形態１に係るデジタル放送システムの手続き記述の一例を示す図である。
【図７】図６の手続き記述を含むＢＭＬ文書の一例を示す図である。
【図８】この発明の実施の形態２に係るデジタル放送受信機の構成を示すブロック図である。
【図９】この発明の実施の形態２に係るデジタル放送システムの手続き記述の一例を示す図である。
【図１０】この発明の実施の形態２に係るデジタル放送システムの手続き記述の一例を示す図である。
【図１１】図６、図９及び図１０の手続き記述を含むＢＭＬ文書の一例を示す図である。
【図１２】この発明の実施の形態３に係るデジタル放送受信機の構成を示すブロック図である。
【図１３】この発明の実施の形態３に係るデジタル放送システムの手続き記述の一例を示す図である。
【図１４】この発明の実施の形態３に係るデジタル放送システムの手続き記述の一例を示す図である。
【図１５】図１３及び図１４の手続き記述を含むＢＭＬ文書の一例を示す図である。
【図１６】この発明の実施の形態４に係るデジタル放送受信機の構成を示すブロック図である。
【図１７】この発明の実施の形態４に係るデジタル放送システムのＢＭＬ文書の一例を示す図である。
【図１８】この発明の実施の形態５に係るデジタル放送受信機の構成を示すブロック図である。
【図１９】この発明の実施の形態５に係るデジタル放送システムのＢＭＬ文書の一例を示す図である。
【図２０】この発明の実施の形態６に係るデジタル放送受信機の構成を示すブロック図及びデジタル放送システムの構成を示す図である。
【図２１】この発明の実施の形態６及び実施の形態７に係るデジタル放送システムのＢＭＬ文書の一例を示す図である。
【図２２】この発明の実施の形態７に係るデジタル放送受信機の構成を示すブロック図及びデジタル放送システムの構成を示す図である。
【図２３】この発明の実施の形態８に係るデジタル放送受信機の構成を示すブロック図及びデジタル放送システムの構成を示す図である。
【図２４】この発明の実施の形態８に係るデジタル放送システムのＢＭＬ文書の一例を示す図である。
【発明を実施するための最良の形態】
【０００９】
以下、この発明をより詳細に説明するために、この発明を実施するための最良の形態について、添付の図面に従って説明する。
実施の形態１．
図１は、この発明の実施の形態１に係るデジタル放送システムの構成を示す図である。
デジタル放送システムは、ＢＳ／ＣＳデジタル放送局１、ＢＳ／ＣＳデジタル放送アンテナ２、ＢＳ／ＣＳデジタル放送アンテナ２からの電波を中継する衛星３、地上デジタル放送局４、地上デジタル送信アンテナ５、ＩＰ放送局群６、ＩＰネットワーク７、ユーザ宅に設置されるＢＳ／ＣＳデジタル受信アンテナ８、ユーザ宅に設置される地上デジタル受信アンテナ９及びデジタル放送受信機（放送受信機）１０で構成されている。【００１０】
まず、本願発明のデジタル放送システムを構築するための基礎となるＭＰＥＧ−２  ＳＹＳＴＥＭＳ準拠の放送波による放送サービス（現行方式）について説明をする。
ＢＳ／ＣＳデジタル放送局１においてＭＰＥＧ−２  ＳＹＳＴＥＭＳに準拠した放送データを編成し、ＢＳ／ＣＳデジタル送信アンテナ２から衛星３を経由して、各家庭に対して放送波を発信する。地上デジタル放送局４も同様にＭＰＥＧ−２  ＳＹＳＴＥＭＳに準拠した放送データを編成し、地上デジタル送信アンテナ５から各家庭に対して放送波を発信する。【００１１】
次に、ＭＰＥＧ−２  ＳＹＳＴＥＭＳに準拠した各種デジタルテレビ放送における多重化方式に関する用語について説明する。なお、ＭＰＥＧ−２  ＳＹＳＴＥＭＳに準拠した各種デジタルテレビ放送の規格については説明を省略する。ＭＰＥＧ−２  ＳＹＳＴＥＭＳに準拠したデジタル放送では放送番組をイベントと呼び、このイベントを連続編成したもので一般的に「チャネル」と呼ばれるものをサービスと呼ぶ。さらに、このサービスを複数多重してＴＳ（Ｔｒａｎｓｐｏｒｔ  Ｓｔｒｅａｍ）を構成し、プログラム多重を実現する。このような編成を固有に識別し、且つ多重されるデータの属性を提示するために、ＭＰＥＧ−２  ＳＹＳＴＥＭＳではＰＳＩ（Ｐｒｏｇｒａｍ Ｓｐｅｃｉｆｉｃ Ｉｎｆｏｒｍａｔｉｏｎ）及びＳＩ（Ｓｅｒｖｉｃｅ Ｉｎｆｏｒｍａｔｉｏｎ）をＴＳに多重している。【００１２】
ＳＩのうち、ＳＤＴ（Ｓｅｒｖｉｃｅ Ｄｅｓｃｒｉｐｔｉｏｎ Ｔａｂｌｅ）ではサービス名称やサービス識別、そのサービス識別を伝送するＴＳ識別といった受信機での選局動作に関わる情報を含み、ＮＩＴ（Ｎｅｔｗｏｒｋ Ｉｎｆｏｒｍａｔｉｏｎ Ｔａｂｌｅ）ではサービス識別や変調方式、伝送中のネットワーク識別及び最初に伝送したネットワーク情報を示すオリジナルネットワーク識別などの伝送ネットワークに関する情報を含む。このネットワーク識別はネットワーク毎かつ放送事業者（例えば、ＮＨＫやＳＫＹ  ＰｅｒｆｅｃＴＶ！など）毎に個別に付与され、またサービス識別やイベント識別も同様に固有であり、オリジナルネットワーク識別、ＴＳ識別、サービス識別の３種類の情報が指定されることで、全ての放送番組を識別することができる。【００１３】
また、ＴＳ識別により、ＰＡＴ（Ｐｒｏｇｒａｍ Ａｓｓｏｃｉａｔｉｏｎ Ｔａｂｌｅ）及びＰＭＴ（Ｐｒｏｇｒａｍ Ｓｐｅｃｉｆｉｃ Ｉｎｆｏｒｍａｔｉｏｎ）を引くことができ、ＰＭＴに示される当該ＴＳ中の映像や音声、データ放送といったモノメディアを伝送するＰＩＤ（Ｐａｃｋｅｃｔ  ＩＤ）を明示する。また、ＳＩには全局ＳＩとして、同じ放送ネットワークで放送される全放送サービスの構成を概要として提供するよう仕組まれている（ＡＲＩＢ  ＴＲ−Ｂ１５規格参照）。【００１４】
なお、ＭＰＥＧ−２  ＳＹＳＴＥＭＳ準拠ネットワークにおける全局情報取得として、ＢＳ／ＣＳデジタル放送ではＮＩＴに記述される全サービス情報を利用できるが、地上デジタル放送ではＮＩＴには自サービス情報のみを含む構成のため、全周波数を確認して受信可能であれば、そのＴＳ中のＮＩＴから情報取得することとなる。【００１５】
次に、ＩＰ放送局群６の構成について説明する。図２は、この発明の実施の形態１に係るデジタル放送システムのＩＰ放送局群の構成を示す図である。ＩＰ放送局群６は、インターネットを経由して複数の放送サービスを提供するサービス提供手段と、複数のサービス提供手段に対して提供される放送設備Ｐで構成されている。複数の放送設備Ｐが１つのＩＰネットワーク７を経由し、複数のサービスを提供することができる。【００１６】
図２の例では、ＢＳ／ＣＳデジタル放送局１からのオリジナルの放送サービスをマルチキャストで再配信するＢＳ／ＣＳデジタル放送設備Ｐ１、地上デジタル放送局４からの放送番組をマルチキャストで再配信する地上デジタル放送設備Ｐ２及び自局の制作番組を放送としてマルチキャスト配信するＩＰ放送設備Ｐ３が一つのＩＰ放送局群６を構成し、これらの放送設備Ｐを用いて、ＢＳ再配信サービス提供手段（サービス提供手段識別子：ＢＳ０１）、地上デジタル再配信サービス提供手段（サービス提供手段識別子：ＴＲ０１）、ＩＰ放送サービス提供手段（サービス提供手段識別子：ＳＩＰ０１）が各放送サービスを行う。なお以下では、ＢＳ／ＣＳデジタル放送局１からのオリジナルの放送及び放送サービスを「ＢＳ／ＣＳオリジナル放送」及び「ＢＳ／ＣＳオリジナル放送サービス」と示し、ＩＰネットワーク７で再配信された放送及び放送サービスを「ＢＳ／ＣＳ再配信放送」及び「ＢＳ／ＣＳ再配信放送サービス」と示す。【００１７】
この発明では、放送サービスを個別に識別するために、放送サービス種を識別するサービス識別子、サービス提供手段を識別するサービス提供手段識別子、放送設備を識別する放送設備識別子、及びＢＳ／ＣＳ／地デジ／ＩＰＴＶといった放送網の種別を識別する放送網識別子が各放送設備Ｐにおいて付与される。【００１８】
図３及び図４を用いて、ＩＰ放送設備Ｐ３のサービス構成に基づきＩＰテレビ放送について説明する。図３は、この発明の実施の形態１におけるデジタル放送システムの構成管理情報の一例を示す図であり、図４はこの発明の実施の形態１に係るデジタル放送システムのＳＩストリームの一例を示す図である。ＩＰ放送設備Ｐ３は、固定ＵＲＩ（Ｕｎｉｆｏｒｍ Ｒｅｓｏｕｒｃｅ Ｉｄｅｎｔｉｆｉｅｒ）でＨＴＴＰにて提供する構成管理情報を有し、この構成管理情報はＳＩストリームのマルチキャストアドレスと、加入するＩＰ放送サービス提供手段リストで構成されている。【００１９】
ＳＩストリームのマルチキャストアドレスは、ＩＰ放送設備Ｐ３により提供される全てのＩＰテレビ放送サービスに関するＳＩをまとめて提供する。ＳＩストリームに含まれるＮＩＤ（Ｎｅｔｗｏｒｋ Ｉｄｅｎｔｉｆｉｃａｔｉｏｎ Ｎｕｍｂｅｒ）は、サービス提供手段をＭＰＥＧ−２  ＳＹＳＴＥＭＳにおけるネットワークとみなし、サービス提供手段識別子毎に、各サービス識別子の映像・音声を含むＴＳをマルチキャスト配信するためのマルチキャストアドレスと、関連のデータ放送サービスへのＵＲＩを有している。一方、サービス提供手段リストは、サービス事業者ＩＤと、サービス事業者ＩＤ毎のＷｅｂサイトのポータルトップのＵＲＩなどで構成されている。また、サービス事業者は上記以外にビデオオンデマンド（ＶＯＤ）コンテンツを提供するが、当該サービスはポータルトップなどのＷｅｂコンテンツ上にＵＲＩを記載することにより対応する。【００２０】
上記ではＩＰテレビ放送を例に説明したが、ＢＳ／ＣＳデジタル再配信サービス及び地上デジタル再配信サービスにおいても、ＩＰテレビ放送と同様に構成管理情報及びＳＩストリームを提供する。ＢＳ／ＣＳデジタル放送設備Ｐ１及び地上デジタル放送設備Ｐ２は、ＢＳ／ＣＳデジタル放送局１及び地上デジタル放送局４からのＴＳを分離して、ＳＩ、ＰＳＩ及びモノメディアデータに分離し、そのうちＳＩは、ＮＩＴについてモノメディアを含むＴＳをマルチキャスト配信するためのマルチキャストアドレスを追加するのみで、サービス識別子・ネットワーク識別子などの変更は行わず、構成管理情報に規定されるＳＩストリーム用マルチキャストアドレスで配信する。モノメディアデータのうち、符号化データは必要に応じて符号化方式変換（トランスコード）を行った上で、ＰＳＩと再多重してＴＳにし、ＮＩＴに追加したモノメディア用のマルチキャストアドレスで配信する。【００２１】
次に、デジタル放送受信機１０の構成について説明する。図５は、この発明の実施の形態１に係るデジタル放送受信機の構成を示すブロック図である。
デジタル放送受信機１０は、視聴者がチャネル変更操作などを行うリモコン１１、リモコン１１から送出される赤外線を受ける赤外線ＩＦ（インタフェース）１０１、入力される映像・音声符号化データをデコードして、映像フレーム及び音声フレームを生成する映像・音声再生部１０２、入力される複数の映像フレーム、画像フレーム、及び音声フレームデータを合成するフレーム合成処理部１０３、入力される映像及び音声を出力するモニタ及びスピーカ１０４、入力分岐テーブルを設定すると共に、サービスの選局指示を行う装置管理部１０５、受信した放送波の伝送路符号化の復号と、ＴＳを分離して本放送用の映像・音声符号化データと、データ放送コンテンツなどとに抜き出すＩＰネットワークＩＦ／ＴＳ分離部１０６、ＩＰ放送ネットワーク選局管理データを展開するＩＰ放送ネットワーク構成管理部１０７、データ放送コンテンツを再生するデータ放送ブラウザ（ブラウザ）１０８、データ放送ブラウザ１０８に内蔵され、データ放送コンテンツに含まれる手続き記述を実行する手続き記述処理部１０９、手続き記述処理部１０９に内蔵され、放送網識別子、放送設備識別子、サービス提供手段識別子、サービス識別子によって特定される放送サービスへの選局を指示するＩＰ放送ネットワーク遷移指示ＩＦ処理部（ＩＰ放送ネットワーク選局ＩＦ処理部）１１０、放送網識別子、放送設備識別子、サービス提供手段識別子、サービス識別子の指定により、所望の放送サービスの選局を行うＩＰ放送ネットワーク選局管理部１１１で構成されている。【００２２】
次に、このデジタル放送受信機１０の動作について説明する。動作説明では、ＢＳ再配信サービスの放送コンテンツからＩＰ放送サービスの放送コンテンツへ遷移する場合を例に説明する。遷移元のＢＳ再配信サービスは、放送網識別＝ｉｐ、放送設備識別＝Ｐ１、サービス提供手段識別＝ＢＳ０１、サービス識別＝１０１であるとし、以下ではｉｐ／Ｐ１／ＢＳ０１／１０１と記載する。同様に、遷移先のＩＰ放送サービスは、放送網識別＝ｉｐ、放送設備識別＝Ｐ３、サービス提供手段識別＝ＳＩＰ０１、サービス識別＝１０１であるとし、ｉｐ／Ｐ３／ＳＩＰ０１／１０１と記載する。【００２３】
まず初めに、リモコン１１を介してデジタル放送受信機１０に電源が投入されると、赤外線ＩＦ１０１が装置管理部１０５に電源の投入が通知し、装置管理部１０５は赤外線ＩＦ１０１にボタン入力の通知先を示す入力分岐テーブルを設定すると共に、ＩＰ放送ネットワーク構成管理部１０７に対して初期化指示を出力する。ＩＰ放送ネットワーク構成管理部１０７は、ＩＰネットワークＩＦ／ＴＳ分離部１０６を経由して本システム所定の全ての放送設備の構成管理情報ＵＲＩから構成管理情報を取得し、取得した構成管理情報をＩＰ放送ネットワーク選局管理データとして展開し、記憶する。また、取得した構成管理情報のマルチキャストアドレスからＳＩストリームを取得してＩＰ放送ネットワーク選局管理データに追加する。【００２４】
次に、リモコン１１を介してＢＳ再配信サービス（サービス識別＝１０１）が選局されると、赤外線ＩＦ１０１は入力分岐テーブルを確認し、装置管理部１０５にＢＳ配信サービス（サービス識別＝１０１）の選局指示を出力する。装置管理部１０５は、ＩＰ放送ネットワーク選局管理部１１１を経由してＩＰ放送ネットワーク構成管理部１０７にＢＳ配信サービス選局指示を出力する。装置管理部１０５は、記憶しているＩＰ放送ネットワーク選局管理データから「ｉｐ／Ｐ１／ＢＳ０１／１０１」の放送サービスが放送中か否かを確認し、放送中であればＩＰ放送ネットワーク選局管理部１１１に放送受信開始を通知すると共に、ＩＰ放送ネットワーク選局管理データに記憶された当該サービスのモノメディアデータを配信するマルチキャストアドレスとＴＳ識別を取得し、ＩＰネットワークＩＦ／ＴＳ分離部１０６に出力する。【００２５】
ＩＰネットワークＩＦ／ＴＳ分離部１０６は、入力されたマルチキャストアドレスのＴＳを分離してＰＳＩ情報を抽出し、ＩＰ放送ネットワーク構成管理部１０７に出力する。ＩＰ放送ネットワーク構成管理部１０７は、当該ＰＳＩからＴＳ識別に対応したモノメディアデータの複数のＰＩＤを取得し、これらモノメディアデータの受信開始をＩＰネットワークＩＦ／ＴＳ分離部１０６に出力する。ＩＰネットワークＩＦ／ＴＳ分離部１０６は、映像・音声符号化データを映像・音声再生部１０２に出力すると共に、データカルーセルをデータ放送ブラウザ１０８に出力する。【００２６】
ＩＰネットワークＩＦ／ＴＳ分離部１０６から映像・音声符号化データが入力された映像・音声再生部１０２は、当該映像・音声符号化データを復号してフレーム合成処理部１０３に出力し、フレーム合成処理部１０３は入力された画像及び音声を合成してモニタ及びスピーカ１０４に出力する。モニタ及びスピーカ１０４は、入力された合成画像及び音声を再生することにより、ユーザが指定するサービスの映像及び音声を提供する。【００２７】
一方、ＩＰネットワークＩＦ／ＴＳ分離部１０６からデータカルーセルが入力されたデータ放送ブラウザ１０８は、データカルーセルの制御情報からデータ放送コンテンツを抽出し、このデータ放送コンテンツのＢＭＬ文書に従ってコンテンツ内容を展開する。まず、ＢＭＬ文書に手続き記述がある場合には、この手続き記述を手続き記述処理部１０９に引渡す。手続き記述処理部１０９は、オブジェクトを用意してスタイル記述に従って配置し、配置結果をフレーム合成処理部１０３に対して出力する。フレーム合成処理部１０３は、入力された画像及び音声を合成してモニタ及びスピーカ１０４に出力し、モニタ及びスピーカ１０４は、入力された合成画像及び音声を再生することにより、ユーザが指定するサービスの映像及び音声を提供する。【００２８】
また、手続き記述処理部１０９は、引き渡された手続き記述の内容を解析し、指定されるタイミングで手続き記述を実行する。ここで、図６及び図７を用いてｉｐ／Ｐ１／ＢＳ０１／１０１のデータ放送コンテンツＢＭＬ文書の記述に従った動作説明を行う。
図６はこの発明の実施の形態１に係る手続き記述の一例を示す図であり異ＩＰテレビ放送サービス選局要求手続き記述（以下、手続き記述Ａと称する）の記述内容を示している。図７は図６の手続き記述を含むＢＭＬ文書の一例を示す図である。【００２９】
図７に示したＢＭＬ文書に基いてデジタル放送受信機１０の再生画面上に「ＩＰ放送サービスｉｐ／Ｐ３／ＳＩＰ０１／１０１を選局」と示されたボタンが提示される。ユーザがリモコン１１を用いて当該ボタンへの「決定」キーを入力すると、赤外線ＩＦ１０１は入力分岐テーブルを確認し、データ放送ブラウザ１０８に通知する。データ放送ブラウザ１０８は、手続き記述処理部１０９に通知を転送し、ボタン押下時処理として手続き記述Ａを読み取り、ＩＰ放送ネットワーク遷移指示ＩＦ処理部１１０に出力する。【００３０】
ＩＰ放送ネットワーク遷移指示ＩＦ処理部１１０は、引数であるｉｐ／Ｐ３／ＳＩＰ０１／１０１のサービスが受信可能か否かをＩＰ放送ネットワーク選局管理部１１１に問合せ、受信可能である場合には、ＩＰ放送ネットワーク選局管理部１１１にｉｐ／Ｐ３／ＳＩＰ０１／１０１への選局要求を行う。ＩＰ放送ネットワーク選局管理部１１１は、リモコン１１による装置管理部１０５からの選局動作と同様に、ＩＰ放送ネットワーク選局管理データから放送網識別＝ＩＰテレビ放送、放送設備識別＝Ｐ３、サービス提供手段識別＝ＳＩＰ０１、サービス識別＝１０１をたどることで選局し、当該サービスの再生を行う。【００３１】
以上のように、この実施の形態１によれば、各配信サービスにサービスを指定する際に放送網識別子、放送設備識別子、サービス提供手段識別子及びサービス識別子を与えるように構成したので、ＢＳ／ＣＳ、地上デジタル及びＩＰテレビ放送サービスによる放送番組やサービス識別子が同一の場合であっても、デジタル放送受信機で受信する放送網を識別することにより、異なるサービスであると識別することができる。【００３２】
また、この実施の形態１によれば、デジタル放送受信機に、データ放送コンテンツに含まれる手続き記述を実行する手続き記述部を設けるように構成したので、各識別子を用いて所望の放送コンテンツを指示することにより、全ての放送サービスへの選局を実現することができる。【００３３】
なお、上記実施の形態１では、ＢＳ再配信サービスのデータ放送コンテンツから、同じ放送網にあるＩＰテレビ放送サービスへの選局を行う例を示したが、全ての放送サービスのデータ放送コンテンツから任意のＩＰ放送サービスへの選局が可能となる。例えば、デジタル放送受信機が、ＢＳオリジナル放送を直接受信可能な場合であれば、ＢＳオリジナル放送のデータ放送コンテンツからＩＰ放送サービスへの選局も可能である。【００３４】
実施の形態２．
上述した実施の形態１では、ＩＰネットワーク内の他のＩＰ放送サービスを選局する構成を示したが、この実施の形態２では、オリジナル放送サービスから再配信先の同一サービスを検索して選局する構成を示す。
図８はこの発明の実施の形態２に係るデジタル放送受信機の構成を示すブロック図である。以下では、実施の形態１に係るデジタル放送システムの構成要素と同一の部分には実施の形態１で使用した符号と同一の符号を付して説明を省略または簡略化する。【００３５】
図８に示すように、デジタル放送受信機１０に新たに放送波ＩＦ／ＴＳ分離部１２１、ＳＩ／ＰＳＩ管理部１２２、オリジナル放送選局管理部（放送波ネットワーク選局管理部）１２３、ＩＰ放送ネットワーク選局情報出力部１２４及びＩＰ放送ネットワーク放送サービスリスト要求ＩＦ処理部１２５が設けられている。放送波ＩＦ／ＴＳ分離部１２１は、ＴＳを分離してＳＩ／ＰＳＩ情報を出力する。ＳＩ／ＰＳＩ管理部１２２は、全ての放送サービスの選局情報を取得する。オリジナル放送選局管理部１２３は、各識別子を指定することにより、所望の放送サービスの選局を行う。ＩＰ放送ネットワーク選局情報出力部１２４は、各識別子をＩＰ放送サービスリストとして出力する。ＩＰ放送ネットワーク放送サービスリスト要求ＩＦ処理部１２５は、データ放送ブラウザ１０８に内蔵されＩＰ放送サービスリストを要求する。【００３６】
次に、このデジタル放送受信機１０の動作について説明する。動作説明では、ＢＳオリジナル放送サービスのデータ放送コンテンツから、ＩＰ放送ネットワークの放送中サービスリストを取得し、再配信される同一サービス識別を検索して選局する場合について説明する。遷移元のＢＳオリジナル放送サービスは、放送網識別＝ｂｓ、オリジナルネットワーク識別＝ＢＳ０１、サービス識別＝１０１であるとし、以下ではｂｓ／ＢＳ０１／１０１と記載する。同様に、遷移先のＩＰ放送サービスは、放送網識別＝ｉｐ、放送設備識別＝Ｐ１、サービス提供手段識別＝ＢＳ０１、サービス識別＝１０１であるとし、ｉｐ／Ｐ１／ＢＳ０１／１０１と記載する。また、デジタル放送システムの構成は図１において示した構成と同一であり、ＢＳ／ＣＳデジタル受信アンテナ８を用いるものとする。【００３７】
リモコン１１を介してデジタル放送受信機１０に電源が投入されると、装置管理部１０５は、上記実施の形態１と同様にデジタル放送受信機１０の電源ＯＮ時の初期化処理を行うと共に、オリジナル放送選局管理部１２３にも初期化指示を出力する。オリジナル放送選局管理部１２３は、ＳＩ／ＰＳＩ管理部１２２に対して受信可能なＢＳオリジナル放送サービスの選局情報を取得するように指示する。ＳＩ／ＰＳＩ管理部１２２は、全ての放送サービスのＢＳデジタル放送波周波数の対応が予め付与された周波数テーブルから、１つの周波数を選択し、放送波ＩＦ／ＴＳ分離部１２１に対し、当該周波数のＴＳ受信開始とＳＩ／ＰＳＩ情報出力を指示する。【００３８】
放送波ＩＦ／ＴＳ分離部１２１は、指定周波数を受信し、ＴＳを抽出及び分離を行い、ＳＩ／ＰＳＩ情報を出力する。ＳＩ／ＰＳＩ管理部１２２は、ＳＩ情報のＮＩＴから全局ＳＩを取出し、全ての放送サービスについてオリジナルネットワーク識別、ＴＳ識別、サービス識別の選局情報などを取得し、ＳＩ／ＰＳＩ管理部１２２内にＢＳオリジナル放送選局管理データとして記憶する。オリジナル放送選局管理部１２３は、ＳＩ／ＰＳＩ管理部１２２に対してＣＳオリジナル放送サービス選局情報取得を指示し、ＳＩ／ＰＳＩ管理部１２２でＢＳオリジナル放送と同様に放送中の周波数のＴＳから全局ＳＩを取得して、ＣＳオリジナル放送サービス選局管理データとして記憶する。【００３９】
さらに、オリジナル放送選局管理部１２３は、ＳＩ／ＰＳＩ管理部１２２に対して地上デジタルオリジナル放送サービス選局情報取得を指示する。ＳＩ／ＰＳＩ管理部１２２では全国分の周波数テーブルの各周波数で選局可能かを確かめ、選局できた周波数で伝送されるＴＳから各局ＳＩを取得し、地上デジタルオリジナル放送サービス選局管理データとして記憶する。上述の処理を対象全ての周波数で実施する。なお、各放送サービス選局管理データの取得は、デジタル放送受信機１０に別途設定される地域情報に相当する周波数についてのみ行うように構成してもよい。【００４０】
次に、リモコン１１を介してＢＳオリジナル放送サービス（サービス識別＝１０１）が選局されると、赤外線ＩＦ１０１は入力分岐テーブルを確認し、装置管理部１０５にＢＳオリジナル放送サービス（サービス識別＝１０１）の選局指示を出力する。装置管理部１０５は、放送網識別＝ｂｓに基づき、オリジナル放送選局管理部１２３を経由してＳＩ／ＰＳＩ管理部１２２にＢＳオリジナル放送サービスの選局指示を出力する。【００４１】
ＳＩ／ＰＳＩ管理部１２２は、ＢＳオリジナル放送選局管理データから「ｂｓ／ＢＳ０１／１０１」の放送サービスが放送中か否かを確認し、放送中であればオリジナル放送選局管理部１２３に放送受信開始を通知すると共に、ＢＳオリジナル放送選局管理データに記憶された当該放送サービスの選局情報を取得し、周波数テーブルと選局情報のサービス識別から該当する周波数を取得すると共に、当該放送サービスのＴＳ識別を取得する。さらに、ＳＩ／ＰＳＩ管理部１２２は、放送波ＩＦ／ＴＳ分離部１２１に対し、周波数を指定した選局指示及びＴＳ識別を指定したＰＳＩ情報取得指示を出力する。【００４２】
放送波ＩＦ／ＴＳ分離部１２１は、受信した指定周波数からＴＳを抽出及び分離し、ＴＳ識別に対応したＰＳＩ情報をＳＩ／ＰＳＩ管理部１２２に出力する。ＳＩ／ＰＳＩ管理部１２２は、取得したＰＳＩ情報からモノメディアデータの複数のＰＩＤを取得し、これらモノメディアデータの受信開始を放送波ＩＦ／ＴＳ分離部１２１に通知する。放送波ＩＦ／ＴＳ分離部１２１は、映像・音声符号化データを映像・音声再生部１０２に出力すると共に、データカルーセルをデータ放送ブラウザ１０８に出力する。【００４３】
ＩＰネットワークＩＦ／ＴＳ分離部１０６から映像・音声符号化データが入力された映像・音声再生部１０２は、当該映像・音声符号化データを復号してフレーム合成処理部１０３に出力し、フレーム合成処理部１０３は入力された画像及び音声を合成してモニタ及びスピーカ１０４に出力する。モニタ及びスピーカ１０４は、入力された合成画像及び音声を再生することにより、ユーザが指定するサービスの映像及び音声を提供する。【００４４】
一方、実施の形態１と同様の処理に基づき手続き記述が入力された手続き記述処理部１０９は、この手続き記述の内容を解析し、指定されるタイミングで手続き記述を実行する。ここで、図６、図９、図１０及び図１１を用いてｉｐ／Ｐ１／ＢＳ０１／１０１のデータ放送コンテンツＢＭＬ文書の記述に従った動作説明を行う。図６は、手続き記述Ａの記述内容、図９はこの発明の実施の形態２に係る手続き記述の一例を示す図であり、接続中ＩＰネットワークリスト取得手続き記述（以下、手続き記述Ｂと称する）の記述内容、図１０はこの発明の実施の形態２に係る手続き記述の一例を示す図であり、ＩＰネットワークサービスリスト取得手続き記述（以下、手続き記述Ｃと称する）の記述内容を示している。図１１は、図６、図９及び図１０の手続き記述を含むＢＭＬ文書の一例を示す図である。【００４５】
デジタル放送受信機１０の再生画面上に「ＩＰ再配信の同じチャネルを選局」と示されたボタンが提示される。ユーザがリモコン１１を用いて当該ボタンへの「決定」キーを入力すると、赤外線ＩＦ１０１は入力分岐テーブルを確認し、データ放送ブラウザ１０８に通知する。データ放送ブラウザ１０８は、手続き記述処理部１０９に通知を転送し、ボタン押下時処理として手続き記述Ｂを読み取り、ＩＰ放送ネットワーク放送サービスリスト要求ＩＦ処理部１２５に通知する。【００４６】
ＩＰ放送ネットワーク放送サービスリスト要求ＩＦ処理部１２５は、ＩＰ放送ネットワーク選局情報出力部１２４を経由してＩＰ放送ネットワーク構成管理部１０７にＩＰ放送ネットワーク放送サービスリスト要求する。ＩＰ放送ネットワーク構成管理部（サービス検索処理部）１０７は、ＩＰ放送ネットワーク選局管理データから指定するサービス提供手段識別にある全ての放送サービス識別をリストとして出力し、ＩＰ放送ネットワーク選局情報出力部１２４を経由してＩＰ放送ネットワーク放送サービスリスト要求ＩＦ処理部１２５に返す。手続き記述処理部１０９は、手続き記述Ｃの実行結果に基づき視聴中の放送サービスのサービス識別があることを確認し、手続き記述Ａを読み取る。以降、実施の形態１と同様の選局動作を実施し、当該サービスの再生を行う。【００４７】
以上のように、この実施の形態２によれば、ＩＰ放送サービスリストを要求するＩＰ放送ネットワーク放送サービスリスト要求ＩＦ処理部と、ＩＰ放送ネットワーク選局管理データに記憶された全ての放送設備識別とサービス提供手段識別をＩＰ放送ネットワーク放送サービスリストとして出力するＩＰ放送ネットワーク選局情報出力部を設けるように構成したので、オリジナル放送サービスのデータ放送コンテンツからＩＰネットワークで再配信される同一放送サービスへの選局を行うことができる。【００４８】
なお、上述した実施の形態２では、視聴中の放送サービスと同一の放送サービスを選択するコンテンツを示したが、ＢＳオリジナル放送からＩＰネットワーク上の全ての放送サービスの選局情報の取得及び選局を行うなど、異なる放送サービスを選択することも可能である。【００４９】
また、上述した実施の形態２では、ＩＰネットワーク放送サービスリストを取得する際に、二つの手続き記述に分ける例を示したが、一つの手続き記述で行うように構成してもよく、放送設備識別、サービス提供手段識別及びサービス識別の組合せで絞込みを行うように構成してもよい。特に同一放送サービスの検索では、放送波側で放送サービスの識別に用いるオリジナルネットワーク識別とサービス識別との両方または片方ずつで絞り込む手続き記述としてもよい。【００５０】
また、上述した実施の形態２では、オリジナル放送のデータ放送コンテンツの記述に基づき、再配信放送される同一放送サービスを検索して選局する構成を示したが、選局先サービスを固定するものではなく、あらゆる放送サービスへの選局を目的とするものである。また、以降の実施の形態においても同様である。【００５１】
実施の形態３．
上述した実施の形態２では、オリジナル放送サービスのデータ放送コンテンツからＩＰ放送サービスを選局する構成を示したが、この実施の形態３ではＩＰ放送サービスのデータ放送コンテンツからオリジナル放送サービスを選局する構成を示す。図１２は、この発明の実施の形態３に係る発明のデジタル放送受信機の構成を示すブロック図である。以下では、実施の形態１及び２に係るデジタル放送システムの構成要素と同一の部分には、実施の形態１及び２で使用した符号と同一の符号を付して説明を省略または簡略化する。【００５２】
図１２に示すデジタル放送受信装置１０は、実施の形態２の図８において示したＩＰ放送ネットワーク遷移指示ＩＦ処理部１１０とＩＰ放送サービスリスト要求ＩＦ処理部１２５に変えて、オリジナル放送ネットワーク遷移指示ＩＦ処理部（放送波ネットワーク放送選局ＩＦ処理部）１３１とオリジナル放送ネットワーク放送サービスリスト要求ＩＦ処理部（放送波ネットワーク放送サービスリスト要求ＩＦ処理部）１３３が設けられている。処理内容は、実施の形態２と同様である。また、ＩＰ放送ネットワーク選局情報出力部１２４に変えて、オリジナル放送ネットワーク選局情報出力部（放送波ネットワーク選局情報出力部）１３２が設けられている。このオリジナル放送ネットワーク選局情報出力部１３２は、放送中の全ての放送サービスについて各識別子をサービスリストとして出力する。【００５３】
次に、このデジタル放送受信機１０の動作について説明する。動作説明では、ＢＳ再配信放送サービスのデータ放送コンテンツから、オリジナル放送ネットワークの放送中サービスリストを取得し、サービス識別を検索して同一サービスのモノメディアデータを参照する場合について説明する。遷移元のＢＳ再配信放送サービスは「ｉｐ／Ｐ１／ＢＳ０１／１０１」と記載し、遷移先のＢＳオリジナル放送サービスは「ｂｓ／ＢＳ０１／１０１」と記載する。また、デジタル放送システムの構成は図１において示した構成と同一であり、ＢＳ／ＣＳデジタル受信アンテナ８を用いるものとする。【００５４】
リモコン１１を介してデジタル放送受信機１０に電源が投入されると、実施の形態２と同様の初期化処理が実施される。さらに、リモコン１１からＢＳ再配信サービス（サービス識別＝１０１）が選局されて、デジタル放送受信機１０において、ＢＳ再配信サービスの映像、音声及びデータが再生される。【００５５】
次に、図１３、図１４及び図１５を用いてｉｐ／Ｐ１／ＢＳ０１／１０１のデータ放送コンテンツＢＭＬ文書の記述に基づく動作説明を行う。図１３はこの発明の実施の形態３に係る手続き記述の一例を示す図であり、接続中オリジナル放送ネットワークリスト取得手続き記述（以下、手続き記述Ｄと称する）の記述内容を示している。図１４はこの発明の実施の形態３に係る手続き記述の一例を示す図であり、異オリジナル放送ネットワーク内放送サービス選局要求手続き記述（以下、手続き記述Ｅと称する）の記述内容を示している。図１５は、図１３及び図１４の手続き記述を含むＢＭＬ文書の一例を示す図である。【００５６】
デジタル放送受信機１０の再生画面上に「オリジナル放送の同じチャネルを選局」と示されたボタンが提示される。ユーザがリモコン１１を用いて当該ボタンへの「決定」キーを入力すると、赤外線ＩＦ１０１は入力分岐テーブルを確認し、データ放送ブラウザ１０８に通知する。データ放送ブラウザ１０８は、手続き記述処理部１０９に通知を転送し、ボタン押下時処理として手続き記述Ｄを読み取り、オリジナル放送ネットワーク放送サービスリスト要求ＩＦ処理部１３３に通知する。【００５７】
オリジナル放送ネットワーク放送サービスリスト要求ＩＦ処理部１３３は、オリジナル放送ネットワーク選局情報出力部１３２を経由してＳＩ／ＰＳＩ管理部１２２にオリジナル放送ネットワーク放送サービスリスト要求する。ＳＩ／ＰＳＩ管理部１２２はＢＳ／ＣＳ、地上デジタルの各オリジナル放送選局管理データを放送網識別毎にオリジナル放送ネットワーク放送サービスリストとして出力し、オリジナル放送ネットワーク選局情報出力部１３２経由でオリジナル放送ネットワーク放送サービスリスト要求ＩＦ処理部１３３に返信する。【００５８】
手続き記述処理部１０９は、手続き記述Ｄの実行結果のリストの中から放送網識別が「ｂｓ」であるものを探索し、当該探索結果からサービス識別が「１０１」の放送サービスを探索する。探索結果である放送サービスを引数として手続き記述Ｅが呼び出されると、オリジナル放送ネットワーク遷移指示ＩＦ処理部１３１はオリジナル放送選局管理部１２３に選局要求を行い、これによりオリジナル放送サービスが選局され、ＢＳオリジナル放送サービスの再生が行われる。【００５９】
以上のように、この実施の形態３によれば、オリジナル放送ネットワーク放送サービスリストを要求するオリジナル放送ネットワーク放送サービスリスト要求ＩＦ処理部と、オリジナル放送選局管理データを放送網種別毎にオリジナル放送ネットワーク放送サービスリストとして出力するオリジナル放送ネットワーク選局情報出力部を設けるように構成したので、ＩＰネットワーク上の放送サービスのデータコンテンツからオリジナル放送への選局を行うことができる。【００６０】
なお、上述した実施の形態３では、接続中オリジナル放送ネットワークリスト取得手続き記述として、一度にリスト出力する構成を示したが、当該手続き記述の引数として放送網種別を指定し、その放送網種別についてのリスト出力を行うように構成する、或いはリスト出力要求に関する手続き記述を二度に分けて所望の放送サービスリストを出力させるように構成してもよい。【００６１】
実施の形態４．
上述した実施の形態１−３では、放送サービスのデータ放送コンテンツの指示により放送網種別を超えて、異なる放送サービスを選局する構成を示したが、この実施の形態４では視聴中のデータ放送コンテンツから放送網種別を超えて、異なる放送サービスの放送データ中のモノメディアを参照する構成を示す。
図１６は、この発明の実施の形態４に係る発明のデジタル放送受信機の構成を示すブロック図である。以下では、実施の形態１及び２に係るデジタル放送システムの構成要素と同一の部分には、実施の形態１及び２で使用した符号と同一の符号を付して説明を省略または簡略化する。【００６２】
図１６に示すデジタル放送受信機１０は、実施の形態２の図８において示した手続き記述処理部１０９に変えて要素・属性記述処理部（要素属性記述処理部）１４１が設けられている。要素・属性記述処理部１４１は、データ放送ブラウザ１０８に内蔵され、データ放送コンテンツに含まれる要素及び属性の記述を行う。さらに、要素・属性記述処理部１４１にはＩＰ放送ネットワーク参照指示ＩＦ処理部（ＩＰ放送ネットワーク参照ＩＦ処理部）１４２が内蔵され、各識別子によって特定される放送サービスへの参照を指示する。さらに、ＩＰ放送ネットワーク選局情報出力部１２４に変えて、ＩＰ放送ネットワーク参照管理部１４３が設けられている。ＩＰ放送ネットワーク参照管理部１４３は、各識別子を指定することにより、所望の放送サービスに含まれる放送データの一部を参照する。【００６３】
次に、このデジタル放送受信機１０の動作について説明する。動作説明では、視聴中のＢＳオリジナル放送サービスのデータ放送コンテンツにおいて、ＩＰ放送サービスの映像及び音声を参照する場合、つまり視聴中のＢＳオリジナル放送サービスのデータ放送コンテンツ再生画面に、参照した映像及び音声を提示する場合について説明する。遷移元のＢＳオリジナル放送サービスは「ｂｓ／ＢＳ０１／１０１」と記載し、遷移先のＩＰ放送サービスは「ｉｐ／Ｐ３／ＳＩＰ０１／１０１」と記載する。また、デジタル放送システムの構成は図１において示した構成と同一であり、ＢＳ／ＣＳデジタル受信アンテナ８を用いるものとする。【００６４】
上述した実施の形態１−３と同様に、まず始めにリモコン１１を介してデジタル放送受信機１０に電源が投入され、初期化処理が行われると共に、リモコン１１からの遷移元のＢＳオリジナル放送サービスが選局され、デジタル放送受信機１０においてＢＳオリジナル放送サービスの映像、音声及びデータ放送が再生される。【００６５】
次にＢＭＬ文書の記述に基づき、デジタル放送受信機１０の動作説明を行う。図１７は、この発明の実施の形態４に係るＢＭＬ文書の一例を示す図であり、ｂｓ／ＢＳ０１／１０１のデータ放送コンテンツのＢＭＬ文書を示している。図１７に示すように、ｏｂｊｅｃｔ要素のｄａｔａ属性は「ａｒｉｂ：／／放送網識別／放送設備識別．サービス提供手段識別．サービス識別／」という形式で記載されている。データ放送ブラウザ１０８は、データ放送コンテンツの再生処理中にｏｂｊｅｃｔ要素がある場合には、要素・属性記述処理部１４１に通知する。要素・属性記述処理部１４１は、ｏｂｊｅｃｔ要素を解析し、ｄａｔａ属性がＩＰ放送ネットワークでの放送網識別に対応したモノメディア参照指示と判断し、ＩＰ放送ネットワーク参照指示ＩＦ処理部１４２に処理を指示する。【００６６】
ＩＰ放送ネットワーク参照指示ＩＦ処理部１４２は、ＩＰ放送ネットワーク参照管理部１４３経由でＩＰ放送ネットワーク構成管理部１０７に当該放送サービスが放送中であって、ｔｙｐｅ属性に指定されるａｐｐｌｉｃａｔｉｏｎ／Ｘ−ａｒｉｂ−ｍｐｅｇ２−ｔｔｓ（モノメディアとして映像・音声を指す）が含まれる放送サービスであるかを確認する。確認の結果、該当する放送サービスがある場合にはＩＰ放送ネットワーク参照管理部１４３に当該モノメディアの参照を指示する。ＩＰ放送ネットワーク参照管理部１４３は、ＩＰ放送ネットワーク構成管理部１０７経由でＩＰネットワークＩＦ／ＴＳ分離部１０６に放送サービスｉｐ／Ｐ３／ＳＩＰ０１／１０１のモノメディアに映像・音声を指定した参照指示を行う。ＩＰネットワークＩＦ／ＴＳ分離部１０６は、当該放送サービスを選局し、指定されたモノメディアである映像・音声符号化データのみを映像・音声再生部１０２に出力する。【００６７】
また、データ放送ブラウザ１０８は、データ放送コンテンツに記述される、提示位置や提示タイミングに従って映像・音声を出力させる。これにより、ＢＳオリジナル放送サービスのデータ放送コンテンツによる再生画面中に、ＩＰ放送サービスの映像・音声を参照可能に表示することができる。【００６８】
以上のように、この実施の形態４によれば、データ放送コンテンツに含まれる要素・属性記述を実行する要素属性記述処理部を設けるように構成したので、固有にデータ放送コンテンツ中のモノメディアを参照することが可能となる。そのため、放送網種別を越えて、モノメディアを参照可能なデータ放送コンテンツが放送可能となる。【００６９】
なお、上述した実施の形態４では、要素・属性記述に基づき固有にデータ放送コンテンツ中のモノメディアを参照する構成について説明したが、同等の機能を持つ手続き記述に基づき固有にデータ放送中のモノメディアを参照するように構成してもよい。【００７０】
実施の形態５．
上述した実施の形態４では、視聴中のオリジナル放送サービスのデータ放送コンテンツからＩＰ放送サービスの放送データ中のモノメディアを参照する構成について示したが、この実施の形態５では視聴中のＩＰ放送サービスのデータ放送コンテンツからオリジナル放送サービスの放送データ中のモノメディアを参照する構成を示す。図１８は、この発明の実施の形態５に係る発明のデジタル放送受信機の構成を示すブロック図である。以下では、実施の形態１−４に係るデジタル放送システムの構成要素と同一の部分には、実施の形態１−４で使用した符号と同一の符号を付して説明を省略または簡略化する。【００７１】
図１８に示すデジタル放送受信機１０は、実施の形態４の図１６において示したＩＰ放送ネットワーク参照指示ＩＦ処理部１４２とＩＰ放送ネットワーク参照管理部１４３に変えて、オリジナル放送ネットワーク参照指示ＩＦ処理部（放送波ネットワーク参照ＩＦ処理部）１５１及びオリジナル放送ネットワーク参照管理部（放送波ネットワーク参照管理部）１５２が設けられている。オリジナル放送ネットワーク参照指示ＩＦ処理部１５１は、データ放送ブラウザ１０８の要素・属性記述処理部１４１に内蔵され、各識別子によって特定される放送サービスへの参照を指示する。オリジナル放送ネットワーク参照管理部１５２は、各識別子を指定することにより、所望の放送サービスに含まれる放送データの一部を参照する。【００７２】
次に、このデジタル放送受信機１０の動作について説明する。動作説明では、視聴中のＩＰ放送サービスのデータ放送コンテンツにおいて、ＢＳオリジナル放送サービスの映像及び音声を参照する場合について説明する。遷移元のＩＰ放送サービスは「ｉｐ／Ｐ３／ＳＩＰ０１／１０１」と記載し、遷移先のＢＳオリジナル放送サービスは「ｂｓ／ＢＳ０１／１０１（ＴＳ識別＝７０３）」と記載する。また、デジタル放送システムの構成は図１において示した構成と同一であり、ＢＳ／ＣＳデジタル受信アンテナを用いるものとする。【００７３】
上記実施の形態１−４と同様に、まず始めにリモコン１１を介してデジタル放送受信機１０に電源が投入され、初期化処理が行われると共に、リモコン１１を介して遷移元のＩＰ放送サービスが選局され、デジタル放送受信機１０においてＩＰ放送サービスの映像、音声及びデータ放送を再生する。【００７４】
次にＢＭＬ文書の記述に基づき、デジタル放送受信機１０の動作説明を行う。図１９は、この発明の実施の形態５に係るＢＭＬ文書の一例を示す図であり、ｉｐ／Ｐ３／ＳＩＰ０１／１０１のデータ放送コンテンツのＢＭＬ文書を示している。図１９に示すように、ｏｂｊｅｃｔ要素のｄａｔａ属性は「ａｒｉｂ：／／放送網識別／オリジナルネットワーク識別．ＴＳ識別．サービス識別／」という形式で記載されている。データ放送ブラウザ１０８は、データ放送コンテンツの再生処理中にｏｂｊｅｃｔ要素がある場合には、要素・属性記述処理部１４１に通知する。要素・属性記述処理部１４１は、ｏｂｊｅｃｔ要素を解析し、ｄａｔａ属性がオリジナル放送ネットワークでの放送網識別に対応したモノメディア参照指示と判断して、オリジナル放送ネットワーク参照指示ＩＦ処理部１５１に処理を指示する。【００７５】
オリジナル放送ネットワーク参照指示ＩＦ処理部１５１は、オリジナル放送ネットワーク参照管理部１５２経由で、ＳＩ／ＰＳＩ管理部１２２に当該放送サービスが放送中であって、ｔｙｐｅ属性に指定されるａｐｐｌｉｃａｔｉｏｎ／Ｘ−ａｒｉｂ−ｍｐｅｇ２−ｔｔｓ（モノメディアとして映像・音声を指す）が含まれる放送サービスであるかを確認する。確認の結果、該当する放送サービスがある場合にはオリジナル放送ネットワーク参照管理部１５２に当該モノメディアの参照を指示する。【００７６】
オリジナル放送ネットワーク参照管理部１５２は、ＳＩ／ＰＳＩ管理部１２２を経由して放送波ＩＦ／ＴＳ分離部１２１に放送サービスｂｓ／ＢＳ０１／１０１のモノメディアに映像・音声を指定した参照指示を行う。放送波ＩＦ／ＴＳ分離部１２１は、当該放送サービスを選局し、指定されたモノメディアである映像・音声符号化データのみを映像・音声再生部１０２に出力する。また、データ放送ブラウザ１０８は、データ放送コンテンツに記述される、提示位置や提示タイミングに従って映像及び音声を出力する。これにより、ＩＰ放送サービスのデータ放送コンテンツによる再生画面中に、ＢＳオリジナル放送サービスの映像及び音声を参照可能に表示することができる。【００７７】
以上のように、この実施の形態５によれば、データ放送コンテンツに含まれる要素・属性記述を実行する要素属性記述処理部を設けるように構成したので、固有にデータ放送コンテンツ中のモノメディアを参照することが可能となる。そのため、放送網種別を越えて、モノメディアを参照可能なデータ放送コンテンツが放送可能となる。【００７８】
なお、上述した実施の形態５では、要素・属性記述に基づき固有にデータ放送コンテンツ中のモノメディアを参照する構成について説明したが、同等の機能を持つ手続き記述に基づき固有にデータ放送中のモノメディアを参照するように構成してもよい。【００７９】
実施の形態６．
上述した実施の形態４では、デジタル放送受信機が１つのＩＰ放送網に接続される場合について示したが、この実施の形態６では複数のＩＰ放送網であるＣＤＮ（Ｃｏｎｔｅｎｔｓ  Ｄｅｌｉｖｅｒｙ  Ｎｅｔｗｏｒｋ）に接続される場合について示す。
ＩＰ放送網では、ＶＯＤ（Ｖｉｄｅｏ  Ｏｎ  Ｄｅｍａｎｄ）機能という、視聴者から選択された映像及び音声ＴＴＳ（Ｔｉｍｅｓｔａｍｐｅｄ  ＴＳ）リソースをユニキャストするサービス形態がある。このＶＯＤ機能の実現のために、映像及び音声ＴＴＳリソースファイルやライセンス関連情報記述ファイルなどのリソースファイルを設け、当該リソースファイルへのＵＲＩをまとめて記述するＶＯＤ再生制御ファイルを用いてＶＯＤ機能を実現する。ｏｂｊｅｃｔ要素のｄａｔａ属性が１つのＩＰ放送網内では、ＶＯＤ再生制御ファイルへのＵＲＩを指定することにより、ＶＯＤの再生を実行可能であり、そのＵＲＩは「ｈｔｔｐ：／／」または「ｈｔｔｐｓ：／／」と、これらに引き続くドメイン名から始まるファイルパスにより記述される。このＶＯＤ再生制御ファイルであることを示すために、ｏｂｊｅｃｔ要素のｔｙｐｅ属性として例えば「ａｐｐｌｉｃａｔｉｏｎ／Ｘ−ａｒｉｂ−ｃｏｎｔｅｎｔＰｌａｙＣｏｎｔｒｏｌ」を指定する。【００８０】
ドメイン名の解決のためには、ＩＥＴＦ  ＲＦＣ１０３４「ＤＯＭＡＩＮ  ＮＡＭＥＳ  − ＣＯＮＣＥＰＴＳ  ＡＮＤ  ＦＡＣＩＬＩＴＩＥＳ」、ＩＥＴＦ  ＲＦＣ１０３５「ＤＯＭＡＩＮ  ＮＡＭＥＳ  −  ＩＭＰＬＥＭＥＮＴＡＴＩＯＮ  ＡＮＤ  ＳＰＥＣＩＦＩＣＡＴＩＯＮ」、及びＩＥＴＦ  ＲＦＣ３６４６「ＤＮＳ  Ｃｏｎｆｉｇｕｒａｔｉｏｎ  ｏｐｔｉｏｎｓ  ｆｏｒ  Ｄｙｎａｍｉｃ  Ｈｏｓｔ  Ｃｏｎｆｉｇｕｒａｔｉｏｎ  Ｐｒｏｔｏｃｏｌ  ｆｏｒ  ＩＰｖ６  （ＤＨＣＰｖ６)」で規定されるプロトコルを用いて行う。【００８１】
図２０は、この発明の実施の形態６に係るデジタル放送受信機、及び当該デジタル放送受信機に接続される放送網の構成を示す図である。図２０におけるデジタル放送受信機１０は、実施の形態４の図１６に対し、ＩＰ放送ネットワーク構成管理部１０７、ＩＰ放送ネットワーク選局管理部１１１、ＩＰ放送ネットワーク参照指示ＩＦ処理部１４２、及びＩＰ放送ネットワーク参照管理部１４３に変えて、ＶＯＤ再生制御部１５３、データ放送ブラウザ１０８の要素・属性記述処理部１４１に内蔵のドメイン名取得部１５４、ＤＮＳによるドメイン名解決処理部Ａ１５６を内蔵するＩＰネットワークＩＦ／ＴＳ分離部Ａ１５５、及びＤＮＳによるドメイン名解決処理部Ｂ１５８を内蔵するＩＰネットワークＩＦ／ＴＳ分離部Ｂ１５７を追加して設け、ＣＤＮ−Ａ１５９及びＣＤＮ−Ｂ１６０に接続されている。【００８２】
次に、このデジタル放送受信機１０の動作について説明する。動作説明では、視聴中のＢＳオリジナル放送サービスのデータ放送コンテンツにおいて、ＩＰ放送サービスの映像及び音声を参照する場合、つまり視聴中のＢＳオリジナル放送サービスのデータ放送コンテンツ再生画面に、参照したＶＯＤの映像及び音声を提示する場合について説明する。参照先のＶＯＤ再生制御ファイル及びそのドメインはＣＤＮ識別のＣＤＮ−Ｂ１６０にのみ存在し、ドメイン名は「ｈｏｏ．ｎｅｔ」であり、ＶＯＤ再生制御ファイルのＵＲＩは「ｈｔｔｐ：／／ｈｏｏ．ｎｅｔ／ｖｉｄｅｏ／１／１．ｃｐｃ」である。遷移元のＢＳオリジナル放送サービスの受信にはＢＳ／ＣＳデジタル受信アンテナ８を用いるものとする。【００８３】
上述した実施の形態４と同様に、まず始めにリモコン１１を介してデジタル放送受信機１０に電源が投入され、初期化処理が行われると共に、リモコン１１からの遷移元のＢＳオリジナル放送サービスが選局され、デジタル放送受信機１０においてＢＳオリジナル放送サービスの映像、音声及びデータ放送が再生される。【００８４】
次にＢＭＬ文書の記述に基づき、デジタル放送受信機１０の動作説明を行う。図２１は、この発明の実施の形態６に係るＢＭＬ文書の一例を示す図であり、ＢＳオリジナル放送サービスに含まれるデータ放送コンテンツのＢＭＬ文書を示している。図２１に示すように、ｏｂｊｅｃｔ要素のｄａｔａ属性は「ｈｔｔｐ：／／ｈｏｏ．ｎｅｔ／ｖｉｄｅｏ／１／１．ｃｐｃ」という形式で記載されている。データ放送ブラウザ１０８は、データ放送コンテンツの再生処理中にｏｂｊｅｃｔ要素がある場合には、要素・属性処理部１４１に通知する。要素・属性処理部１４１は、ｏｂｊｅｃｔ要素を解析し、ｄａｔａ属性がある場合、ｄａｔａ属性の解析をドメイン名取得部１５４に指示する。【００８５】
ドメイン名取得部１５４は、当該ｄａｔａ属性の文字列からドメイン名である「ｈｏｏ．ｎｅｔ」を取り出し、ＤＮＳによるドメイン名解決処理部Ａ１５６にＤＮＳ解決を指示する。ＤＮＳによるドメイン名解決処理部Ａ１５６は、ＣＤＮ−Ａ１５９に「ｈｏｏ．ｎｅｔ」に対するＤＮＳ問合せを行うが、ＣＤＮ−Ａ１５９からは応答がなく、タイムアウトとなり、当該ドメイン解決ができなかったことをドメイン名取得部１５４に返答する。【００８６】
ドメイン名取得部１５４は、ＤＮＳによるドメイン名解決処理部Ｂ１５８にＤＮＳ解決を指示する。ＤＮＳによるドメイン名解決処理部Ｂ１５８ではＣＤＮ−Ｂ１６０に「ｈｏｏ．ｎｅｔ」に対するＤＮＳ問合せを行い、本ＣＤＮ内のドメインサーバから当該ドメインのアドレス応答を受領し、当該ドメインがＣＤＮ−Ｂ１６０に発見されたことを記憶し、かつ当該ドメイン解決ができたことをドメイン名取得部１５４に返答する。【００８７】
次に、要素・属性記述処理部１４１では、ドメイン解決できたＩＰネットワークＩＦ／ＴＳ分離部Ｂ１５７に対して、ｏｂｊｅｃｔ要素のｄａｔａ属性に記載されるＵＲＩ及びｄａｔａ属性先頭のプロトコル「ｈｔｔｐ：／／」により、ＨＴＴＰプロトコルによるファイル取得を指示する。【００８８】
ＩＰネットワークＩＦ／ＴＳ分離部Ｂ１５７は、ドメイン名をＤＮＳによるドメイン名解決処理部Ｂ１５８に記憶されたアドレスに書き換え、ＣＤＮ−Ｂ１６０にファイル取得のためのＨＴＴＰプロトコルを送出する。ＣＤＮ−Ｂ１６０は、当該アドレスの所有するサーバから指定ＵＲＩ先のファイルをデジタル放送受信機１０に返送し、ＩＰネットワークＩＦ／ＴＳ分離部Ｂ１５７は受領したファイルを要素・属性記述処理部１４１に引き渡す。【００８９】
要素・属性記述処理部１４１は、当該ｏｂｊｅｃｔ要素のｔｙｐｅ属性がａｐｐｌｉｃａｔｉｏｎ／Ｘ−ａｒｉｂ−ｃｏｎｔｅｎｔＰｌａｙＣｏｎｔｒｏｌであることから、当該ｏｂｊｅｃｔ要素のｄａｔａ属性のＵＲＩで取得したファイルが、ＶＯＤ再生制御ファイルであると判断し、ドメイン解決できたのはＩＰネットワークＩＦ／ＴＳ分離部Ｂ１５７側であることを通知するとともに、当該ＶＯＤ再生制御ファイルをＶＯＤ再生制御部１５３に引き渡す。【００９０】
ＶＯＤ再生制御部１５３は、当該ＶＯＤ再生制御ファイルの内容をパースし、ＴＴＳリソースやライセンス関連情報記述ファイルへのＵＲＩを判断し、ＩＰネットワークＩＦ／ＴＳ分離部Ｂ１５７に必要なリソースファイルの取得を指示する。ＩＰネットワークＩＦ／ＴＳ分離部Ｂ１５７は取得指示されたＵＲＩがドメイン名である場合、ＤＮＳによるドメイン名解決処理部Ｂ１５８に記憶されるアドレスに変換して取得処理を行う。このＩＰネットワークＩＦ／ＴＳ分離部Ｂ１５７が、ＣＤＮ−Ｂ１６０からＴＴＳリソースを取得し、映像・音声再生部１０２に引き渡すことにより、映像及び音声が再生される。【００９１】
以上のように、この実施の形態６によれば、ｄａｔａ属性の文字列からドメイン名を取得し、ＤＮＳ解決を指示するドメイン名取得部と、ＤＮＳ解決指示に基づき複数のＣＤＮに対してＤＮＳ問い合わせを行うＤＮＳによるドメイン解決処理部を設けるように構成したので、複数のＣＤＮについてＤＮＳプロトコルによりドメイン名を解決することができる。【００９２】
なお、上記実施の形態６では、複数のＣＤＮに対するドメイン解決を順次行うものを示したが、ドメイン解決したＣＤＮを判断できればよく、ドメイン解決を同時実行するものであってもよい。【００９３】
また、上記実施の形態６では、デジタル放送受信が機複数のＣＤＮに接続される例を示したが、ＩＰプロトコルによりアクセス可能な別個の網であればよく、インターネットとＣＤＮといった組合せでもよい。【００９４】
実施の形態７.
上述した実施の形態６では、デジタル放送受信機が複数のＣＤＮに対し、順にＤＮＳプロトコルを用いてドメインを探し、ＣＤＮを特定するものを示したが、この実施の形態７では構成管理情報から合致するドメインを見つけて、ＣＤＮを特定するものを示す。【００９５】
図２２は、この発明の実施の形態７に係るデジタル放送受信機、及び当該デジタル放送受信機に接続される放送網の構成を示す図である。図２２におけるデジタル放送受信機１０は、実施の形態４の図１６に対し、ＩＰ放送ネットワーク選局管理部１１１、ＩＰ放送ネットワーク参照指示ＩＦ処理部１４２、及びＩＰ放送ネットワーク参照管理部１４３に変えて、ＶＯＤ再生制御部１５３、データ放送ブラウザ１０８の要素・属性記述処理部１４１に内蔵のドメイン名取得部１５４、ＩＰネットワークＩＦ／ＴＳ分離部Ａ１５５、ＩＰネットワークＩＦ／ＴＳ分離部Ｂ１５７、及びＩＰ放送ネットワーク構成管理部１０７に内蔵の構成管理情報によるドメイン名検索処理部１６１を追加して設け、ＣＤＮ−Ａ１５９及びＣＤＮ−Ｂ１６０に接続されている。【００９６】
上述の実施の形態４と同様に、まず始めにリモコン１１を介してデジタル放送受信機１０に電源が投入され、初期化処理が行われると共に、リモコン１１からの遷移元のＢＳオリジナル放送サービスが選局され、デジタル放送受信機１０においてＢＳオリジナル放送サービスの映像、音声及びデータ放送が再生される。また、ＩＰ放送ネットワーク構成管理部１０７では、予め指定される構成管理情報へのＵＲＩを基に、接続される全てのＣＤＮ、つまりＣＤＮ−Ａ１５９とＣＤＮ−Ｂ１６０からそれぞれの構成管理情報を取得する。【００９７】
次にＢＭＬ文書の記述に基づき、デジタル放送受信機１０の動作説明を行う。この実施の形態７に係るＢＭＬ文書の一例は、実施の形態６と同様に、図２１を用いる。データ放送ブラウザ１０８は、データ放送コンテンツの再生処理中にｏｂｊｅｃｔ要素がある場合には、要素・属性処理部１４１に通知する。要素・属性処理部１４１は、ｏｂｊｅｃｔ要素を解析し、ｄａｔａ属性がある場合、ｄａｔａ属性の解析をドメイン名取得部１５４に指示する。【００９８】
ドメイン名取得部１５４では、当該ｄａｔａ属性の文字列からドメイン名である「ｈｏｏ．ｎｅｔ」を取り出し、構成管理情報によるドメイン名検索処理部１６１にドメイン名検索を指示する。【００９９】
構成管理情報によるドメイン名検索処理部１６１は、検索指示されたドメイン名と、初期化処理で取得した構成管理情報のポータルＵＲＩに記述されたドメイン名を順次照合する。構成管理情報によるドメイン名検索処理部１６１は、合致したドメイン名を含むＣＤＮを検出して記憶するとともに、ＩＰネットワークＩＦ／ＴＳ分離部Ｂ１５７側の構成管理情報でドメイン名を検出したことをドメイン名取得部１５４に返答する。【０１００】
要素・属性記述処理部１４１は、ＩＰネットワークＩＦ／ＴＳ分離部Ｂ１５７に対してｄａｔａ属性先頭のプロトコル「ｈｔｔｐ：／／」により、ＨＴＴＰプロトコルによるファイル取得を指示する。【０１０１】
ＩＰネットワークＩＦ／ＴＳ分離部Ｂ１５７は、ＤＮＳによるドメイン名解決処理を行って記憶するとともに、アドレス変換してＣＤＮ−Ｂ１６０にファイル取得のためのＨＴＴＰプロトコルを送出する。ＣＤＮ−Ｂ１６０は、当該アドレスの所有するサーバから指定ＵＲＩ先のファイルをデジタル放送受信機１０に返送し、ＩＰネットワークＩＦ／ＴＳ分離部Ｂ１５７は受領したファイルを要素・属性記述処理部１４１に引き渡す。【０１０２】
要素・属性記述処理部１４１は、当該ｏｂｊｅｃｔ要素のｔｙｐｅ属性がａｐｐｌｉｃａｔｉｏｎ／Ｘ−ａｒｉｂ−ｃｏｎｔｅｎｔＰｌａｙＣｏｎｔｒｏｌであることから、当該ｏｂｊｅｃｔ要素のｄａｔａ属性のＵＲＩで取得したファイルが、ＶＯＤ再生制御ファイルであると判断して、ドメイン解決できたのはＩＰネットワークＩＦ／ＴＳ分離部Ｂ１５７側であることを通知するとともに、当該ＶＯＤ再生制御ファイルをＶＯＤ再生制御部１５３に引き渡す。【０１０３】
ＶＯＤ再生制御部１５３は、当該ＶＯＤ再生制御ファイルの内容をパースし、ＴＴＳリソースやライセンス関連情報記述ファイルへのＵＲＩを判断し、ＩＰネットワークＩＦ／ＴＳ分離部Ｂ１５７に必要なリソースファイルの取得を指示する。ＩＰネットワークＩＦ／ＴＳ分離部Ｂ１５７では取得指示されたＵＲＩがドメイン名である場合、記憶されるアドレスに変換して取得処理を行う。このＩＰネットワークＩＦ／ＴＳ分離部Ｂ１５７がＣＤＮ−Ｂ１６０からＴＴＳリソースを取得し、映像・音声再生部１０２に引き渡すことにより、映像及び音声が再生される。【０１０４】
以上のように、この実施の形態７によれば、接続されるすべてのＣＤＮから構成管理情報を取得するＩＰ放送ネットワーク構成管理部と、ｄａｔａ属性の文字列からドメイン名を取得し、ＤＮＳ解決を指示するドメイン名取得部と、検索指示されたドメイン名及びＩＰ放送ネットワーク構成管理部が取得した構成管理情報に記述されたドメイン名を照合する構成管理情報によるドメイン名検索処理部を備えるように構成したので、複数の構成管理情報から同一のドメイン名を検出して、ＣＤＮを特定することができる。【０１０５】
実施の形態８．
上述した実施の形態４では、視聴中のオリジナル放送サービスのデータ放送コンテンツからＩＰ放送サービスの放送データ中のモノメディアを参照するために従来のスキーマを用いてＩＰ放送サービスであることを明示する場合について示したが、この実施の形態８ではＩＰ放送網で提供される一般的なモノメディアリソースを、視聴中のオリジナル放送サービスのデータ放送コンテンツから参照するために、新たなスキーマを導入するものを示す。【０１０６】
本実施の形態８では、デジタル放送受信機１０に複数接続されるＣＤＮを識別するために、新たなスキーマを導入する場合について説明する。例えば「ｉｐｖｏｄ」を導入し、「ｉｐｖｏｄ：／／＜ＣＤＮ識別（ＩＰネットワーク識別）＞／」と示してＣＤＮを識別し、これに続けて当該ＣＤＮ内で使用されるファイルパス（名前空間）を記述することで、他の放送網からＩＰ放送サービス内のモノメディアを参照させる。【０１０７】
図２３は、この発明の実施の形態８に係るデジタル放送受信機、及び当該デジタル放送受信機に接続される放送網の構成を示す図である。図２３におけるデジタル放送受信機１０は、実施の形態４の図１６に対し、ＩＰ放送ネットワーク構成管理部１０７、ＩＰ放送ネットワーク選局管理部１１１、ＩＰ放送ネットワーク参照指示ＩＦ処理部１４２、及びＩＰ放送ネットワーク参照管理部１４３に変えて、ＶＯＤ再生制御部１５３、ＩＰネットワークＩＦ／ＴＳ分離部Ａ１５５、ＩＰネットワークＩＦ／ＴＳ分離部Ｂ１５７、及びデータ放送ブラウザ１０８の要素・属性記述処理部１４１に内蔵されるＶＯＤ用スキーマ解析部（スキーマ解析部）１６２を追加して設け、ＣＤＮ−Ａ１５９及びＣＤＮ−Ｂ１６０に接続されている。【０１０８】
次に、このデジタル放送受信機１０の動作について説明する。動作説明では、視聴中のＢＳオリジナル放送サービスのデータ放送コンテンツにおいて、ＩＰ放送サービスの映像及び音声を参照する場合、つまり視聴中のＢＳオリジナル放送サービスのデータ放送コンテンツ再生画面に、参照したＶＯＤの映像及び音声を提示する場合について説明する。参照先のＶＯＤ再生制御ファイルはＣＤＮ識別の「ＣＤＮ−Ｂ」に存在し、ＣＤＮ−Ｂ内でのＵＲＩは「ｈｔｔｐ：／／ｈｏｏ．ｎｅｔ／ｖｉｄｅｏ／１／１．ｃｐｃ」である。よってこのＶＯＤ再生制御ファイルのＵＲＩは「ｉｐｖｏｄ：／／ＣＤＮ−Ｂ／ｈｏｏ．ｎｅｔ／ｖｉｄｅｏ／１／１．ｃｐｃ」と記述される。遷移元のＢＳオリジナル放送サービスの受信にはＢＳ／ＣＳデジタル受信アンテナ８を用いるものとする。【０１０９】
上述した実施の形態４と同様に、まず始めにリモコン１１を介してデジタル放送受信機１０に電源が投入され、初期化処理が行われると共に、リモコン１１からの遷移元のＢＳオリジナル放送サービスが選局され、デジタル放送受信機１０においてＢＳオリジナル放送サービスの映像、音声及びデータ放送が再生される。【０１１０】
次にＢＭＬ文書の記述に基づき、デジタル放送受信機１０の動作説明を行う。図２４は、この発明の実施の形態８に係るＢＭＬ文書の一例を示す図であり、ＢＳオリジナル放送サービスに含まれるデータ放送コンテンツのＢＭＬ文書を示している。図２４に示すように、ｏｂｊｅｃｔ要素のｄａｔａ属性は「ｉｐｖｏｄ：／／＜ＣＤＮ識別＞／＜ファイルパス＞／」という形式で記載されている。データ放送ブラウザ１０８は、データ放送コンテンツの再生処理中にｏｂｊｅｃｔ要素がある場合には、要素・属性記述処理部１４１に通知する。要素・属性記述処理部１４１は、ｏｂｊｅｃｔ要素を解析し、ｔｙｐｅ属性がＶＯＤ再生制御ファイルを示すＸ−ａｒｉｂ−ｃｏｎｔｅｎｔＰｌａｙＣｏｎｔｒｏｌであるため、ＶＯＤに対するｏｂｊｅｃｔ要素と判断し、ＶＯＤ用スキーマ解析部１６２にｄａｔａ属性の解析を指示する。【０１１１】
ＶＯＤ用スキーマ解析部１６２は、ｄａｔａ属性のスキーマが「ｉｐｖｏｄ」となっていることから、本ＵＲＩにＣＤＮ識別が含まれると判断し、ＣＤＮ種別である「ＣＤＮ−Ｂ」と、当該ＣＤＮ内のＵＲＩである「ｈｔｔｐ：／／ｈｏｏ．ｎｅｔ／ｖｉｄｅｏ／１／１．ｃｐｃ」とを分離・変換する。ＶＯＤ用スキーマ解析部１６２は、ＣＤＮ−Ｂ１６０が接続されるＩＰネットワークＩＦ／ＴＳ分離部Ｂ１５７に対し、「ｈｔｔｐ：／／ｈｏｏ．ｎｅｔ／ｖｉｄｅｏ／１／１．ｃｐｃ」のファイル取得を指示する。【０１１２】
要素・属性記述処理部１４１は、ＩＰネットワークＩＦ／ＴＳ分離部Ｂ１５７経由でＣＤＮ−Ｂ１６０から当該ＶＯＤ再生制御ファイルを受領すると、これをＶＯＤ再生制御部１５３に引き渡す。【０１１３】
ＶＯＤ再生制御部１５３は、当該ＶＯＤ再生制御ファイルの内容をパースし、ＴＴＳリソースやライセンス関連情報記述ファイルへのＵＲＩを判断して、ＩＰネットワークＩＦ／ＴＳ分離部Ｂ１５７に必要なリソースファイルの取得を指示する。ＩＰネットワークＩＦ／ＴＳ分離部Ｂ１５７は、取得指示されたＵＲＩがドメイン名である場合、記憶されるアドレスに変換して取得処理を行う。このＩＰネットワークＩＦ／ＴＳ分離部Ｂ１５７が、ＣＤＮ−Ｂ１６０からＴＴＳリソースを取得し、映像・音声再生部１０２に引き渡すことで、映像及び音声が再生される。【０１１４】
以上のように、この実施の形態８によれば、ＣＤＮ識別を実現するスキーマを導入し、放送局から提供されるデータ放送コンテンツに当該スキーマを記載するように構成したので、デジタル放送受信機においてＣＤＮ及びＵＲＩを正しく判断してアクセスすることができる。【０１１５】
なお、上述した実施の形態８では、参照先のモノメディアリソースをＶＯＤとして説明したが、１つのＣＤＮ内のＵＲＩで表記できるリソースであればどのようなものであってもよい。【０１１６】
また、上述した実施の形態８では、新たなＣＤＮ識別付きスキーマを導入したが、当該ＣＤＮ内名前空間として、非暗号通信と暗号通信を区別可能なＣＤＮ識別付きスキーマを導入するものであってもよい。【０１１７】
また、上述した実施の形態８では、ＣＤＮ識別付きスキーマを導入し、これにＣＤＮ識別とファイルパスを続けて記載することによりＶＯＤ再生制御ファイルへのＵＲＩを定義するものを説明したが、これと同様に新たなＣＤＮ識別付きスキーマと、ＣＤＮ識別と、ＩＰ放送サービス参照パスとにより、当該ＣＤＮで放送されるＩＰ放送サービスを示すものがあってもよい。
【産業上の利用可能性】
【０１１８】
以上のように、この発明は、放送コンテンツの再生画面に異ネットワークの放送データの同時再生を実現するデジタル放送システム及び放送受信機に適用することができる。
【図１】
2009087711.tif 000003
【図２】
2009087711.tif 000004
【図３】
2009087711.tif 000005
【図４】
2009087711.tif 000006
【図５】
2009087711.tif 000007
【図６】
2009087711.tif 000008
【図７】
2009087711.tif 000009
【図８】
2009087711.tif 000010
【図９】
2009087711.tif 000011
【図１０】
2009087711.tif 000012
【図１１】
2009087711.tif 000013
【図１２】
2009087711.tif 000014
【図１３】
2009087711.tif 000015
【図１４】
2009087711.tif 000016
【図１５】
2009087711.tif 000017
【図１６】
2009087711.tif 000018
【図１７】
2009087711.tif 000019
【図１８】
2009087711.tif 000020
【図１９】
2009087711.tif 000021
【図２０】
2009087711.tif 000022
【図２１】
2009087711.tif 000023
【図２２】
2009087711.tif 000024
【図２３】
2009087711.tif 000025
【図２４】
2009087711.tif 000026
【国際調査報告】
2009087711.tif 000027
2009087711.tif 000028
2009087711.tif 000029
2009087711.tif 000030
2009087711.tif 000031
2009087711.tif 000032
2009087711.tif 000033